(57)【要約】【課題】  単一の部材で、複数のケーブルを任意の位置で位置固定することができ、装置全体の厚みを増加させないケーブル保持構造を提供する。【解決手段】  フィルム２７に穴４１，５１，５２と該穴に連続するスリット４２，５３とを設け、前記スリットを利用して前記穴にケーブル２５を通すことにより前記ケーブルを位置固定する。【選択図】図６
2008282854.tif 000002
【特許請求の範囲】
【請求項１】
フィルムに穴と該穴に連続するスリットとを設け、前記スリットを利用して前記穴にケーブルを通すことにより前記ケーブルを位置固定するようにしたことを特徴とするケーブル保持構造。
【請求項２】
請求項１に記載のケーブル保持構造において、前記スリットが前記フィルムの縁に連続するよう設けられていることを特徴とするケーブル保持構造。
【請求項３】
請求項１に記載のケーブル保持構造において、前記穴が２個設けられ、前記スリットがこれら２個の穴を接続するように設けられていることを特徴とするケーブル保持構造。
【請求項４】
請求項１に記載のケーブル保持構造において、前記穴が複数個設けられ、前記スリットがこれら複数個の穴のそれぞれに連続するとともに、前記フィルムの縁又は他の穴に連続するように設けられていることを特徴とするケーブル保持構造。
【請求項５】
請求項１乃至４のいずれか一つに記載のケーブル保持構造において、前記フィルムがベースに固定された状態で、前記ケーブルの装脱を可能にしたことを特徴とするケーブル保持構造。
【請求項６】
請求項１乃至５のいずれか一つのケーブル保持構造を備えていることを特徴とする電子・電気装置。
【請求項７】
フィルムに穴と該穴に連続するスリットとを設け、前記スリットを利用して前記穴にケーブルを通すことにより前記ケーブルを位置固定することを特徴とするケーブル保持方法。
【請求項８】
請求項７に記載のケーブル保持方法において、前記フィルムがベースに固定された状態で、前記穴に前記ケーブルを通すようにしたことを特徴とするケーブル保持方法。
【発明の詳細な説明】
【技術分野】
【０００１】
本発明は、電子・電気装置に用いられるケーブル保持構造及びケーブル保持方法に関する。
【背景技術】
【０００２】
複数の部品間をケーブルで接続する電子・電気装置では、ケーブルが周囲の部品（例えば、板金）のエッジに接触したり、組立時にケースに挟まれたりして断線してしまうことがある。このようなケーブルの断線を防止するため、ケーブルを整形し保持するケーブルホルダ（クランプ）が用いられる。
【０００３】
従来のケーブルホルダは、図８に示すように、複数のスリット８１及び挿通孔８２が形成されたホルダ本体８３と、その両端部に突出形成されたつまみ部８４及び係止部８５とを有している（例えば、特許文献１参照）。
【０００４】
このケーブルホルダは、可撓性を有しており、一対の係止部８５を互いに近づけるよう変形させることで、一対のつまみ部８４の間隔を広げることができる。これにより、スリット８１が開き、図示しないケーブルを挿通孔８２に容易に挿通させることができる。
【０００５】
また、一対のつまみ部８４を互いに近づけるように変形させることで、一対の係止部８５の間隔を広げることができる。広げた一対の係止部８５の間に回路基板に搭載されたＤＩＰ型ＩＣ等の回路素子を位置させた後、ケーブルホルダを変形させた力を取り除くと、一対の係止部８５の爪が回路素子をつかむ。これにより、ケーブルホルダは、層通孔８２を通るケーブルを回路基板に対して位置固定する。
【０００６】
【特許文献１】特開昭６３−１１５２７９号公報
【発明の開示】
【発明が解決しようとする課題】
【０００７】
従来のケーブルホルダは、回路基板に搭載された回路素子を利用してケーブルを位置固定するため、任意の位置でケーブルを位置固定することができないという問題点がある。
【０００８】
また、複数箇所でケーブルを位置固定する場合には、各箇所にケーブルホルダを設ける必要があり、部品点数が多くコスト高であるという問題点がある。
【０００９】
さらに、従来のケーブルホルダの形状は、利用する回路素子の形状に基づいて決まるため、形状の異なる複数の回路素子を利用する場合には、各回路素子の形状に応じた形状のケーブルホルダが必要となるため、部品の種類が多く、コスト高であるという問題点もある。
【００１０】
また、従来のケーブルホルダは、回路基板に対して垂直に設けられるため、装置全体の厚みを増加させるという問題点もある。
【００１１】
そこで、本発明は、単一の部材を用いて、複数のケーブルを任意の位置で保持することができ、装置全体の厚みを増加させることのないケーブル保持構造、それを備えた電子・電気装置及びケーブル保持方法を提供することを目的とする。
【課題を解決するための手段】
【００１２】
本発明のケーブル保持構造は、上記目的を達成するため、フィルムに穴と該穴に連続するスリットとを設け、前記スリットを利用して前記穴にケーブルを通すことにより前記ケーブルを位置固定するようにしたことを特徴とする。
【００１３】
前記スリットは、前記フィルムの縁に連続するよう設けられてよい。また、前記スリットは、前記穴が２個設けられている場合に、これら２個の穴を接続するように設けられてよい。
【００１４】
また、本発明の電子・電気装置は、上記ケーブル保持構造を備えていることを特徴とする。
【００１５】
さらに、本発明のケーブル保持方法は、フィルムに穴と該穴に連続するスリットとを設け、前記スリットを利用して前記穴にケーブルを通すことにより前記ケーブルを位置固定することを特徴とする。
【発明の効果】
【００１６】
本発明によれば、フィルムに穴とスリットを設け、スリットを利用して穴にケーブルを通し、これによりケーブルを保持するようにしたことで、単一の部材で、回路基板の縁に沿った任意の位置で、複数のケーブルを保持することができる。また、本発明は単一のフィルムを用いるので安価であり、回路全体の厚み増加もほとんどない。
【発明を実施するための最良の形態】
【００１７】
以下、図面を参照して本発明の実施の形態について説明する。
【００１８】
図１に、本発明の一実施の形態に係る電子・電気装置の外観図を示す。この電子・電気装置１０は、互いに組み合わされる上部カバー１１及び下部カバー１２を有している。
【００１９】
図２に、上部カバー１１を取り外した状態の電子・電気装置１０の平面図を示す。また、図３にそのＡ−Ａ線断面図を示す。
【００２０】
図２及び図３に示すように、電子・電気装置１０は、板金２１と、第１〜第３の部品（例えば、回路基板）２２〜２４と、第１、第２のケーブル２５，２６と、保護フィルム（絶縁フィルム）２７とを有している。
【００２１】
板金２１及び第１の部品２２は、それぞれ下部カバー１２の異なる位置に固定されている。また、第２、第３の部品２３，２４は、板金２１に固定されている。
【００２２】
第１のケーブル２５は、第１の部品２２と第２の部品２３との間を電気的に接続している。また、第２のケーブル２６は、第２の部品２３と第３の部品２４との間を電気的に接続している。
【００２３】
保護フィルム２７は、板金２１と第２の部品２３との間に設けられており、例えば、板金２１に貼り付けられている。保護フィルム２７には、後述するように穴及びスリットが形成されている。保護フィルム２７は、これら穴及びスリットを利用して、第１、第２のケーブル２５，２６を第１、第２のケーブルを整形し、位置固定する。
【００２４】
図４に、保護フィルム２７に形成される穴とスリットの一例を示す。図４の穴４１は、保護フィルム２７の縁の近くに形成され、スリット４２は穴４１と保護フィルム２７の縁とに連続するように形成されている。
【００２５】
また、図５に保護フィルム２７に形成される穴とスリットの他の例を示す。図５の穴５１，５２は、保護フィルム２７の縁の近くに形成され、スリット５３はこれら穴５１と穴５２とを接続するように形成されている。
【００２６】
第１の部品２２と第２の部品２３との間を電気的に接続する第１のケーブル２５は、図４に示す穴４１及びスリット４２と、図５に示す穴５１，５２及びスリット５３との組み合わせを用いて、図６に示すように整形され、保持されて位置固定される。スリット４２，５３の存在により、保護フィルム２７が下部ケース１２に取り付けられた状態であっても、容易に第１のケーブル２５を各穴４１，５１，５２に通すことができる。
【００２７】
第２の部品２３と第３の部品２４との間を電気的に接続する第２のケーブル２６は、図４に示す穴４１及びスリット４２を用いて、図７に示すように整形され、保持されて位置固定される。ここでも、スリット４２の存在により、保護フィルム２７が下部ケース１２に取り付けられた状態であっても、容易に第２のケーブル２５を穴４１に通すことができる。
【００２８】
以上のように、第１及び第２のケーブル２５，２６は、保護フィルム２７によって位置固定され、他の部品との接触やケース組立時の挟み込みによる断線を防止することができる。
【００２９】
なお、図６及び図７に示す各例では、穴４１，５１，５２の内径を第１、第２のケーブル２５，２６の外径よりも大きくしているが、これらを実質的に等しくして、より強固に第１、第２のケーブル２５，２６を保持することもできる。
【００３０】
以上のように、本実施の形態によれば、単一の保護フィルムを用いて複数のケーブルの整形及び位置固定することができ、部品点数及びコストの低減を実現することができる。また、各部品から外部へ引き出されるケーブルを部品周囲の任意の位置で固定することができる。さらに、装置全体の厚みをほとんど増加させることもない。
【図面の簡単な説明】
【００３１】
【図１】本発明の一実施の形態に係る電子・電気装置の外観図である。
【図２】図１の電子・電気装置の上部カバーを取り除いた状態を示す平面図である。
【図３】（ａ）は図２におけるＡ−Ａ線断面図であり、（ｂ）は（ａ）におけるｂ線内拡大図である。
【図４】図１乃至図３に示される電子・電気装置に用いられる保護シートに形成される穴及びスリットの一例を示す図である。
【図５】図１乃至図３に示される電子・電気装置に用いられる保護シートに形成される穴及びスリットの他の例を示す図である。
【図６】図１乃至図３に示される電子・電気装置の第１のケーブル周辺を示す斜視図である。
【図７】図１乃至図３に示される電子・電気装置の第２のケーブル周辺を示す斜視図である。
【図８】従来のケーブルホルダの斜視図である。
【符号の説明】
【００３２】
１０    電子・電気装置
１１    上部カバー
１２    下部カバー
２１    板金
２２    第１の部品
２３    第２の部品
２４    第３の部品
２５    第１のケーブル
２６    第２のケーブル
２７    保護フィルム
４１    穴
４２    スリット
５１，５２    穴
５３    スリット
８１    スリット
８２    挿通孔
８３    ホルダ本体
８４    つまみ部
８５    係止部
【図１】
2008282854.tif 000003
【図２】
2008282854.tif 000004
【図３】
2008282854.tif 000005
【図４】
2008282854.tif 000006
【図５】
2008282854.tif 000007
【図６】
2008282854.tif 000008
【図７】
2008282854.tif 000009
【図８】
2008282854.tif 000010